(57)【要約】【課題】  擦材が損失したとき、両プレートの金属板同士の固着を確実に防止し、加えて、簡単な機構で、コストがかからないこと。【解決手段】  ピストン摺動部内径部に、スナップリング１１をつけることにより、ピストン４の移動量を規制するように構成してある。従って、ピストン４に動きを制限するスナップリング１１を設けることにより、固着防止を図ったものであり、簡単な機構で、コストがかからない。万が一、ドライブプレート２のフェーシング材３が焼失（損失）しても、スナップリング１１により、ピストン４が一定の距離を保ち規定以上移動しないことより、ドリブンプレート１とドライブプレート２との固着防止することが出来る。【選択図】  図１
2006207665.tif 000002
【特許請求の範囲】
【請求項１】
ドリブンプレートとドライブプレートが交互に重なり合い、ピストンの押圧力により作用と非作用とすることにより締結又は、解放されるように構成されている多板クラッチ装置に於いて、
前記ドリブンプレートと前記ドライブプレートの基板の金属板が固着しないように、前記ピストンの移動量を規制するピストン規制手段を、具備することを特徴とする多板クラッチ装置。
【請求項２】
前記ピストン規制手段は、前記ピストン摺動部内径部に、スナップリングをつけることにより、前記ピストンの移動量を規制することを特徴とする請求項１に記載の多板クラッチ装置。
【請求項３】
前記ピストン規制手段は、前記ピストンのキャンセラに、返し部をつけことにより、前記ピストンの移動量を規制することを特徴とする請求項１に記載の多板クラッチ装置。
【請求項４】
前記ピストン規制手段は、前記ピストンに、突起をつけることにより、キャンセラとの距離を制限することを特徴とする請求項１に記載の多板クラッチ装置。
【請求項５】
前記ピストン規制手段は、クラッチドラム外径面に、孔を設け、ピストンが規定以上の範囲で移動した際、クラッチドラムに設けた孔により、油圧が逃げることを特徴とする請求項１に記載の多板クラッチ装置。
【請求項６】
前記ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
であることを特徴とする請求項２乃至５の何れか１項に記載の多板クラッチ装置。
【発明の詳細な説明】
【技術分野】
【０００１】
本発明は、摩擦材が損失したとき、ドリブンプレート（ＳＰ）とドライブプレート（ＦＰ）との金属板同士の固着を確実に防止できる多板クラッチ装置に関する。
【背景技術】
【０００２】
図５は、従来例に係る多板クラッチ装置の模式的断面図である。多板クラッチ装置では、ドリブンプレート１（ＳＰ）とドライブプレート２（ＦＰ）が交互に数枚重なり合っている。ドリブンプレート１は、外側にスプラインを有する金属製のプレートであり、ドライブプレート２は、内側にスプラインを有する金属板で、その両面にフェーシング材３（摩擦材、ライニング）を貼り付けた物である。多板クラッチは、ピストン４の押圧力により作用と非作用とすることにより、締結又は解放されるように構成されている。なお、符号５は、クラッチドラムであり、符号６は、リテーナプレートであり、符号７は、キャンセラであり、符号８は、リターンスプリングである。
【特許文献１】特開平３−９１１９号公報
【発明の開示】
【発明が解決しようとする課題】
【０００３】
ところで、多板クラッチの摩擦材が損失したとき、ドリブンプレート（ＳＰ）とドライブプレート（ＦＰ）の金属板同士が固着するといった虞れがある。
【０００４】
特許文献１では、スプライン部の厚さ寸法が他の部分の厚さ寸法よりも大きく設定してある。これにより、スプライン部に作用する面圧を低くして、摩耗の発生を防止している。
【０００５】
しかしながら、特許文献１に於いては、スプライン部を曲げる事において、ドリブンプレートのスプライン部は、その高さは低く、ヒートマスを保つため、ある程度の厚さを保たなければいけない。そのことにより、曲げ加工を施すため、コストがかかるといったことがある。
【０００６】
本発明は、上述したような事情に鑑みてなされたものであって、摩擦材が損失したとき、両プレートの金属板同士の固着を確実に防止し、加えて、簡単な機構で、コストがかからない、多板クラッチ装置を提供することを目的とする。
【課題を解決するための手段】
【０００７】
上記の目的を達成するため、本発明の請求項１に係る多板クラッチ装置は、ドリブンプレートとドライブプレートが交互に重なり合い、ピストンの押圧力により作用と非作用とすることにより締結又は、解放されるように構成されている多板クラッチ装置に於いて、
前記ドリブンプレートと前記ドライブプレートの基板の金属板が固着しないように、前記ピストンの移動量を規制するピストン規制手段を、具備することを特徴とする。
【０００８】
本発明の請求項２に係る多板クラッチ装置は、前記ピストン規制手段は、前記ピストン摺動部内径部に、スナップリングをつけることにより、前記ピストンの移動量を規制することを特徴とする。
【０００９】
本発明の請求項３に係る多板クラッチ装置は、前記ピストン規制手段は、前記ピストンのキャンセラに、返し部をつけことにより、前記ピストンの移動量を規制することを特徴とする。
【００１０】
本発明の請求項４に係る多板クラッチ装置は、前記ピストン規制手段は、前記ピストンに、突起をつけることにより、キャンセラとの距離を制限することを特徴とする。
【００１１】
本発明の請求項５に係る多板クラッチ装置は、前記ピストン規制手段は、クラッチドラム外径面に、孔を設け、ピストンが規定以上の範囲で移動した際、クラッチドラムに設けた孔により、油圧が逃げることを特徴とする。
【００１２】
本発明の請求項６に係る多板クラッチ装置は、前記ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
であることを特徴とする。
【発明の効果】
【００１３】
本発明によれば、ピストンに動きを制限するシステムを設けることにより、固着防止を図ったものであり、簡単な機構で、コストがかからない。万が一、ドライブプレートのフェーシング材が焼失（損失）しても、ピストンが一定の距離を保ち規定以上移動しないことより、ドリブンプレートとドライブプレートとの固着防止することが出来る。
【発明を実施するための最良の形態】
【００１４】
以下、本発明の実施の形態に係る多板クラッチ装置を図面を参照しつつ説明する。
【００１５】
（第１実施の形態）
図１は、本発明の第１実施の形態に係る多板クラッチ装置の模式的断面図である。多板クラッチ装置では、ドリブンプレート１（ＳＰ）とドライブプレート２（ＦＰ）が交互に数枚重なり合っている。ドリブンプレート１は、外側にスプラインを有する金属製のプレートであり、ドライブプレート２は、内側にスプラインを有する金属板で、その両面にフェーシング材３（摩擦材、ライニング）を貼り付けたものである。又、ドリブンプレート１とドライブプレート２の片面に交互にフェーシング材３（摩擦材、ライニング）を貼り付けていることもあり、ピストン４の押圧力により作用と非作用とすることにより、締結又は解放されるように構成されている。なお、符号５は、クラッチドラムであり、符号６は、リテーナプレートであり、符号７は、キャンセラであり、符号８は、リターンスプリングである。
【００１６】
本実施の形態では、ドリブンプレート１とドライブプレート２の基板の金属板が固着しないように、ピストン４の移動量を規制するピストン規制手段が設けてある。
【００１７】
このピストン規制手段は、ピストン摺動部内径部に、スナップリング１１をつけることにより、ピストン４の移動量を規制するように構成してある。
【００１８】
従って、ピストン４に動きを制限するスナップリング１１を設けることにより、固着防止を図ったものであり、簡単な機構で、コストがかからない。万が一、ドライブプレート２のフェーシング材３が焼失（損失）しても、スナップリング１１により、ピストン４が一定の距離を保ち規定以上移動しないことより、ドリブンプレート１とドライブプレート２との固着防止することが出来る。
【００１９】
また、ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
である。
【００２０】
（第２実施の形態）
図２は、本発明の第２実施の形態に係る多板クラッチ装置の模式的断面図である。
【００２１】
本実施の形態は、その基本的構造が上述した実施の形態と同様であり、相違する点について説明する。
【００２２】
ピストン規制手段は、ピストン４のキャンセラ７に、返し部１２をつけことにより、ピストン４の移動量を規制するように構成してある。
【００２３】
従って、本実施の形態に於いても、ピストン４に動きを制限する返し部１２を設けることにより、固着防止を図ったものであり、簡単な機構で、コストがかからない。万が一、ドライブプレート２のフェーシング材３が焼失（損失）しても、返し部１２により、ピストン４が一定の距離を保ち規定以上移動しないことより、ドリブンプレート１とドライブプレート２との固着防止することが出来る。
【００２４】
また、ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
である。
【００２５】
なお、その他の構成、作用、及び効果は、上述した実施の形態と同様である。
【００２６】
（第３実施の形態）
図３は、本発明の第３実施の形態に係る多板クラッチ装置の模式的断面図である。
【００２７】
本実施の形態は、その基本的構造が上述した実施の形態と同様であり、相違する点について説明する。
【００２８】
ピストン規制手段は、ピストン４に、突起１３をつけることにより、キャンセラ７との距離を制限するように構成してある。
【００２９】
従って、本実施の形態に於いても、ピストン４に動きを制限する突起１３を設けることにより、固着防止を図ったものであり、簡単な機構で、コストがかからない。万が一、ドライブプレート２のフェーシング材３が焼失（損失）しても、突起１３により、ピストン４が一定の距離を保ち規定以上移動しないことより、ドリブンプレート１とドライブプレート２との固着防止することが出来る。
【００３０】
また、ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
である。
【００３１】
なお、その他の構成、作用、及び効果は、上述した実施の形態と同様である。
【００３２】
（第４実施の形態）
図４は、本発明の第４実施の形態に係る多板クラッチ装置の模式的断面図である。
【００３３】
本実施の形態は、その基本的構造が上述した実施の形態と同様であり、相違する点について説明する。
【００３４】
ピストン規制手段は、クラッチドラム外径面に、孔１４を設け、ピストン４が規定以上の範囲で移動した際、クラッチドラム５に設けた孔１４により、油圧が逃げるように構成してある。
【００３５】
従って、本実施の形態に於いても、ピストン４に動きを制限するための油圧用の孔１４を設けることにより、固着防止を図ったものであり、簡単な機構で、コストがかからない。万が一、ドライブプレート２のフェーシング材３が焼失（損失）しても、油圧用の孔１４により、ピストン４が一定の距離を保ち規定以上移動しないことより、ドリブンプレート１とドライブプレート２との固着防止することが出来る。
【００３６】
また、ピストンの規制距離（Ｘ）は、
Ｃ＋ｎ・ｗ＜Ｘ＜Ｃ＋ｎ・ｔ
であり、ここで、
Ｘ：規制距離
ｗ：通常の摩耗量／面
ｔ：摩擦材厚さ
ｎ：摩擦面数
Ｃ：クラッチクリアランス
である。
【００３７】
なお、その他の構成、作用、及び効果は、上述した実施の形態と同様である。
【００３８】
また、本発明は、上述した実施の形態に限定されず、種々変形可能であり、ドリブンプレート及びドライブプレートのスプラインの方向が逆であるときにも本発明を適用できることは言うまでもない。
【図面の簡単な説明】
【００３９】
【図１】本発明の第１実施の形態に係る多板クラッチ装置の模式的断面図である。
【図２】本発明の第２実施の形態に係る多板クラッチ装置の模式的断面図である。
【図３】本発明の第３実施の形態に係る多板クラッチ装置の模式的断面図である。
【図４】本発明の第４実施の形態に係る多板クラッチ装置の模式的断面図である。
【図５】従来例に係る多板クラッチ装置の模式的断面図である。
【符号の説明】
【００４０】
１  ドリブンプレート
１ａ  スプライン嵌合用凸形状部
２  ドライブプレート
３  フェーシング材３（摩擦材、ライニング）
４  ピストン
５  クラッチドラム
６  リテーナプレート
７  キャンセラ
８  リターンスプリング
１１  スナップリング
１２  返し部
１３  突起
１４  孔
【図１】
2006207665.tif 000003
【図２】
2006207665.tif 000004
【図３】
2006207665.tif 000005
【図４】
2006207665.tif 000006
【図５】
2006207665.tif 000007